(57)【要約】【課題】案内レールの上側全体がカバーで覆われ、カバーの上方に配置された案内対象部材をスライダに固定するための取付部材を有し、案内レールの側面の上端とカバーの側面の下端とで形成される開口部が上下に分割された帯状のシール部材で塞がれている一軸アクチュエータにおいて、前記シール部材の切れを防止する。【解決手段】取付部材１４は、スライダの上面に固定される本体１４ａと、案内レールの幅方向外側に配置されてカバーより上側まで延び、案内対象部材を取り付ける取付部１４ｂと、これらを連結する連結部１４ｃとからなる。連結部１４ｃは、前記開口部に配置されて、上下のシール部材を押し開いて移動する。連結部１４ｃのシール部材が接触する部分に、摩擦係数を低減させるコーティングを施す。【選択図】図３
2013064494.tif 000002
【特許請求の範囲】
【請求項１】
相対する内側面に軸方向に延びる転動体転動面を有する断面凹状の案内レールと、前記案内レールの幅方向中心部に配設され外周面に螺旋状のねじ溝を有するねじ軸と、前記ねじ軸に螺合されたナット部を含むスライダと、複数の転動体とを備え、
前記スライダには、前記案内レールの転動体転動面に相対した転動体転動面が両側面に形成されるとともに、前記転動体の戻し通路と、この戻し通路と前記転動体転動面を連結する方向転換路が形成され、
前記相対する両転動体転動面からなる転動通路と、前記戻し通路と、前記方向転換路とで構成される循環経路内に、前記転動体が介装され、
前記ねじ軸を回転することで、その回転力が前記ナット部に伝達されて、前記転動体が前記転動通路を負荷状態で転動しながら前記循環経路内を循環することにより、前記スライダが前記案内レールに沿って移動可能とされた一軸アクチュエータであって、
前記案内レールの上側全体がカバーで覆われ、
前記カバーの上方に配置された案内対象部材を前記スライダに固定するための取付部材を有し、
前記取付部材は、スライダの上面に固定される本体と、案内レールの幅方向外側に配置されてカバーより上側まで延び、案内対象部材を取り付ける取付部と、これらを連結する連結部とからなり、
前記案内レールの側面の上端と前記カバーの側面の下端とで形成される開口部が、上下に分割された帯状のシール部材で覆われ、
前記連結部は、前記開口部に前記上下のシール部材に接触状態で配置され、前記上下のシール部材を押し開いて移動可能な形状であり、
前記上下のシール部材は、相互の先端部が重なり合い、前記連結部が通過する部分のみが開かれることで、前記取付部材の作動を許容しつつ装置内の略気密状態を保持し、
前記連結部の前記シール部材が接触する部分に、摩擦係数を低減させるコーティングが施されていることを特徴とする一軸アクチュエータ。
【請求項２】
前記連結部の前記シール部材が接触する部分にフッ素樹脂コーティングが施されている請求項１記載の一軸アクチュエータ。
【発明の詳細な説明】
【技術分野】
【０００１】
この発明は、ねじ式送り装置と直動案内装置が一体化された一軸アクチュエータ（断面凹状の案内レールと、前記案内レールの幅方向中心部に配設されたねじ軸と、前記ねじ軸に螺合されたナット部を含むスライダと、複数の転動体とを備え、前記ねじ軸の回転により前記スライダが前記案内レールに沿って移動可能とされた装置）に関する。
【背景技術】
【０００２】
ねじ式送り装置と直動案内装置が一体化された一軸アクチュエータは、相対する内側面に軸方向に延びる転動体転動面を有する断面凹状の案内レールと、前記案内レールの幅方向中心部に配設され外周面に螺旋状のねじ溝を有するねじ軸と、前記ねじ軸に螺合されたナット部を含むスライダと、複数の転動体とを備えている。
前記スライダには、前記案内レールの転動体転動面に相対した転動体転動面が両側面に形成されるとともに、前記転動体の戻し通路と、この戻し通路と前記転動体転動面を連結する方向転換路が形成されている。前記相対する両転動体転動面からなる転動通路と、前記戻し通路と、前記方向転換路とで構成される循環経路内に、前記転動体が介装されている。
【０００３】
前記ねじ軸を回転することで、その回転力が前記ナット部に伝達されて、前記転動体が前記転動通路を負荷状態で転動しながら前記循環経路内を循環することにより、前記スライダが前記案内レールに沿って移動可能とされている。
このような一軸アクチュエータの従来例として、特許文献１には、図４〜図７に示す構造の防塵型案内装置が記載されている。図４はこの装置の斜視図であり、図５はその構成を説明するための分解斜視図であり、図６は図４の長手方向に沿った断面図であり、図７は図６のＡ−Ａ断面図である。
【０００４】
図４〜７において、符号２１が案内レール、２２がスライダ、２３がねじ軸、２８がナット部、２７が直動装置用のボール（転動体）、２９がボールねじ（ねじ式送り装置）用のボールに相当する。案内レール２１の軸方向両端開口部が軸端部材２６ａ，２６ｂで塞がれている。軸端部材２６ａ，２６ｂはねじ軸２３の両端を回転自在に支持する。案内レール２１の両内側面（突堤２４ａ，２４ｂの内側面）に、ボール転動溝（転動体転動面）が形成されている。軸端部材２６ａ，２６ｂとカバー１２との間にスペーサーブロック３２が配置されている。カバー１２の幅方向両側が折り曲げられて側面部１２ａとなっている。
【０００５】
この防塵型案内装置では、断面が凹状の案内レール（ガイドレール）２１の上側全体をカバー（外装カバー）１２で覆うとともに、案内レール２１の側面の上端とカバー１２の側面の下端とで形成される開口部１３を、上下に分割された帯状のシール部材１５ａ，１５ｂで覆っている。そのため、取付部材（可動体）１４０を使用して、カバー１２の上方に配置された案内対象部材をスライダ（スライド部材）２２に固定している。上側のシール部材１５ａは、カバー１２の側面部１２ａの外側にシール押え３４で固定されている。下側シール部材１５ｂは、案内レール２１の外側面にシール押え３３で固定されている。
【０００６】
取付部材１４０は、スライダ２２の上面に固定される本体１４ａと、案内レール２１の外側に配置されてカバー１２より上側まで延び、案内対象部材を取り付ける取付部（耳部）１４ｂと、これらを連結する連結部１４ｃとからなる。
連結部１４ｃの形状は、上下方向および移動方向（図６の左右方向）で対称の略流線形状であり、移動方向両端が鋭角の凸に形成されている。この凸を形成する一対の対辺は移動方向中央に向かう途中で一度折り曲げられ、傾斜が緩くなるように形成されている。
【０００７】
上側のシール部材１５ａの下端と下側のシール部材１５ｂの上端は、互いに重ね合わされているが、連結部１４ｃが存在する位置では、連結部１４ｃの上面と下面に沿うようそれぞれ外側に折り曲げられた状態となる。そして、取付部材１４０の連結部１４ｃは、上下のシール部材１５ａ，１５ｂを外側に押し開き、掻き分けるように移動する。連結部１４ｃが通過した後は、上下のシール部材１５ａ，１５ｂは自らの弾性によって直ちに復元し、再び内部がシールされる。つまり、上下のシール部材１５ａ，１５ｂは往復動する取付部材１４の通過部分のみが開かれる。
このように、特許文献１の防塵型案内装置は、スライダ２２の往復動に伴う取付部材１４０の作動を許容しつつ装置内の略気密状態を保持する構成となっている。
【先行技術文献】
【特許文献】
【０００８】
【特許文献１】特開２０００−２３０６１８号公報
【発明の概要】
【発明が解決しようとする課題】
【０００９】
上述の防塵型案内装置には、前記取付部材の連結部と前記シール部材が直接接触するため、シール部材が摩耗して切れが生じ易く、シール部材による防塵性が低下する問題点がある。
この発明の課題は、案内レールの上側全体がカバーで覆われ、前記取付部材とシール部材を有し、取付部材の作動を許容しつつ装置内の略気密状態を保持する構成となっている一軸アクチュエータにおいて、シール部材に切れが生じにくくすることである。
【課題を解決するための手段】
【００１０】
上記課題を解決するために、この発明は、下記の構成(1) 〜(11)を有する一軸アクチ  ュエータを提供する。
(1) 相対する内側面に軸方向に延びる転動体転動面を有する断面凹状の案内レールと、前記案内レールの幅方向中心部に配設され外周面に螺旋状のねじ溝を有するねじ軸と、前記ねじ軸に螺合されたナット部を含むスライダと、複数の転動体とを備える。
(2) 前記スライダには、前記案内レールの転動体転動面に相対した転動体転動面が両側面に形成されるとともに、前記転動体の戻し通路と、この戻し通路と前記転動体転動面を連結する方向転換路が形成されている。
【００１１】
(3) 前記相対する両転動体転動面からなる転動通路と、前記戻し通路と、前記方向転換路とで構成される循環経路内に、前記転動体が介装されている。
(4) 前記ねじ軸を回転することで、その回転力が前記ナット部に伝達されて、前記転動体が前記転動通路を負荷状態で転動しながら前記循環経路内を循環することにより、前記スライダが前記案内レールに沿って移動可能とされている。
(5) 前記案内レールの上側全体がカバーで覆われている。
【００１２】
(6) 前記カバーの上方に配置された案内対象部材を前記スライダに固定するための取付部材を有する。
(7) 前記取付部材は、スライダの上面に固定される本体と、案内レールの幅方向外側に配置されてカバーより上側まで延び、案内対象部材を取り付ける取付部と、これらを連結する連結部とからなる。
(8) 前記案内レールの側面の上端と前記カバーの側面の下端とで形成される開口部が、上下に分割された帯状のシール部材で覆われている。
【００１３】
(9) 前記連結部は、前記開口部に前記上下のシール部材に接触状態で配置され、前記上下のシール部材を押し開いて移動可能な形状である。
(10)前記上下のシール部材は、相互の先端部が重なり合い、前記連結部が通過する部分のみが開かれることで前記取付部材の作動を許容しつつ装置内の略気密状態を保持する。
(11)前記連結部の前記シール部材が接触する部分に、摩擦係数を低減させるコーティングが施されている。
【発明の効果】
【００１４】
この発明の一軸アクチュエータによれば、コーティングにより前記連結部とシール部材との摩擦係数が低減されることでシール部材の摩耗が低減されるため、シール部材に切れが生じにくくすることができる。
【図面の簡単な説明】
【００１５】
【図１】この発明の実施形態に相当する一軸アクチュエータを示す正面図である。
【図２】この発明の実施形態に相当する一軸アクチュエータを示す平面図である。
【図３】実施形態の一軸アクチュエータを構成する取付部材を示す平面図（ａ）と、そのＡ−Ａ断面図（ｂ）である。
【図４】特許文献１の一軸アクチュエータを示す斜視図である。
【図５】図４の一軸アクチュエータの構成を説明するための分解斜視図である。
【図６】図４の長手方向に沿った断面図である。
【図７】図６のＡ−Ａ断面図である。
【発明を実施するための形態】
【００１６】
以下、この発明の実施形態について説明する。
この実施形態の一軸アクチュエータを図１〜３に示す。
この実施形態の一軸アクチュエータは、図４〜７に示す上述の特許文献１に記載された防塵型案内装置と、以下の点を除いて同じ構造である。
スペーサーブロック３２は、カバー１２の上面部１２ｂの内側全体に嵌まる板状部材であって、軸端部材２６ａ，２６ｂの上方だけでなく、カバー１２の長さ方向全体に配置されている。カバー１２の上面部１２ｂの長さ方向両端が、スペーサーブロック３２を介して案内レール２１の軸端部材２６ａ，２６ｂに、止めねじ１６により固定されている。上側のシール部材１５ａの上部が、カバー１２の側面部１２ａとスペーサーブロック３２の側面との間に配置され、側面部１２ａから止めねじ１７で、スペーサーブロック３２の側面に固定されている。
【００１７】
この実施形態では、特許文献１の取付部材１４０に代えて、図３に示す形状の取付部材１４を備えている。この取付部材１４は、各取付部１４ｂの両端部が本体１４ａと同じ高さになっている。また、取付部材１４の両連結部１４ｃの上下両面にフッ素樹脂コーティングが施されている。取付部材１４は金属製であり、通常の金属製部材に対するフッ素樹脂コーティングと同様に、脱脂、表面処理、コーティング剤の塗布、乾燥、焼成をこの順に行うことで、フッ素樹脂コーティングが施されている。
【００１８】
この実施形態の一軸アクチュエータによれば、取付部材１４の両連結部１４ｃの上下両面にフッ素樹脂コーティングが施されているため、連結部１４ｃが上下のシール部材１５ａ，１５ｂを押し開いて移動する際に、連結部１４ｃとシール部材１５ａ，１５ｂとの摩擦係数が低減される。これにより、シール部材１５ａ，１５ｂの摩耗が低減されるため、シール部材１５ａ，１５ｂに切れが生じにくくすることができる。
【００１９】
なお、フッ素樹脂コーティングは、両連結部１４ｃの上下両面だけでなく、取付部材１４の全面に施されていてもよい。
フッ素樹脂コーティングの膜厚は３０μｍ以上にすることが好ましい。フッ素樹脂コーティングの膜厚が３０μｍ未満であるとピンホールが存在する恐れがある。フッ素樹脂コーティングの膜厚が５０μｍ以上２００μｍ以下にすると、耐摩耗性が良好になるため、さらに好ましい。
【００２０】
フッ素樹脂コーティングの主材料としては、ＰＴＦＥ（ポリテトラフルオロエチレン）やＰＦＡ（パーフルオロアルコオキシ）等の、低摩擦で耐摩耗性に優れたものを使用することが好ましい。
フッ素樹脂コーティングに代えて、窒化クロムコーティングまたはセラミックコーティングを施してもよい。
【符号の説明】
【００２１】
１２  カバー
１２ａ  側面部
１３  開口部
１５ａ，１５ｂ  シール部材
１４  取付部材
１４ａ  本体
１４ｂ  取付部
１４ｃ  連結部
１４０  取付部材
１６  止めネジ
１７  止めネジ
２１  案内レール
２２  スライダ
２３  ねじ軸
２６ａ，２６ｂ  軸端部材
２８  ナット部
２７  直動装置用のボール
２９  ボールねじ（ねじ式送り装置）用のボール
３２  スペーサーブロック
３３  シール押え
３４  シール押え
【図１】
2013064494.tif 000003
【図２】
2013064494.tif 000004
【図３】
2013064494.tif 000005
【図４】
2013064494.tif 000006
【図５】
2013064494.tif 000007
【図６】
2013064494.tif 000008
【図７】
2013064494.tif 000009